(57)【特許請求の範囲】
【請求項１】
先端に画鋲脱抜手段の爪状の部分を有する細長い棒状主体部と、該棒状主体部の根元側に連結される不定形な線状体から形成される画鋲保持部とよりなり、前記棒状主体部は握り部の画鋲脱抜手段側に適宜角度をもって曲折部を形成し、前記画鋲保持部は棒状主体部の根元側に形成された取付部に取外し可能に取り付け、その終端側にストッパーを設け、画鋲脱抜手段で捕捉された画鋲を保持する画鋲保持部を着脱可能に連結してなる画鋲抜き取り器。
【発明の詳細な説明】
【０００１】
【発明の属する技術分野】
この発明は、壁等に刺設された画鋲を脱抜して、数珠状に収集する画鋲抜き取り器に関するものである。
【０００２】
【従来の技術】
これまでの画鋲等を抜く器具の抜き取る部分は大きく分けて次の７通りある。
▲１▼  画鋲の頭と壁面等の間に器具の中心線に向かって湾曲し先端が細くなる２本の刃、切り込みのない爪、Ｕ字形の爪、Ｖ字形の爪、または細溝を付けた爪を持つくさび状の物を差し込んで頭を持ち上げて抜く。公開特許広報昭５９−４２２８１。
▲２▼  頭を挟み部で狭持して引いて抜く、すなわち可撓性収納容器に略収納された、弾性金属板で略Ｕ字形状に形成加工され、その両端に対向してそれぞれ内側に曲折する挟持片を有し、容器を押すことにより該挟持片を接近させて画鋲を抜き収納もできる画鋲抜き。（公開実用新案広報昭５８−１３６２８０）
▲３▼  頭が取れて残った針を挟み部で鋏持して抜く。公開実用新案広報実開平６−６６９７３
▲４▼  杭を器具で鋏みその器具に付いている金てこ差し込み口へ金てこを差し込み杭や石を挟み引き抜き上げる。公開特許公報特開２０００−１４４７８５．
【０００３】
▲５▼  壁等に差し込んだ画鋲と壁等の間にビニール等をはさみ、そのビニール等の指穴等を引いて抜く。公開実用新案公報昭６１−４６１８０．
▲６▼  磁石と磁石の間の掲示物等を上側の磁石をひいて離す。実用新案公報平３−１００６６．
▲７▼  画鋲の頭に付いている摘みを回すことにより画鋲の針に付いているねじを回して緩めて抜く。
【０００４】
また、上記▲１▼の場合に抜いた画鋲を用器に連続して収納する方法には７通りの代表的な例があげられる。
１．所定形の固体の１端は閉鎖し、他端には収容口兼取り出し口を設けその下側に長溝を欠切して画鋲抜きを形成し、その画鋲抜きで抜いた画鋲を断面逆三角形の筒体である容器内に１列に収容できる画鋲収容ケース。（公開特許公報昭５９−４２２８１）
２．画鋲抜き具が容器の一部分を形成しているが並べないでただ単に収納できる（公開実州新案公報昭５８−１７７２８５）、この中には画鋲の取り込み口がおたまじゃくし形になっている公開実用新案公報平３−１０３１７３もある。
３．金属筒の先端にＶ字口を設け、ここで抜き取った画鋲をスライドさせ、容器そのものが持ち手になっている容器に収納する画鋲抜き取り容器。（公開実用新案公報昭５７−３５８４）
４．ケースに画鋲はずし器と、画鋲の逆流防止板を付け画鋲はずし器をスライドさせることにより、画鋲を取りだし易くした、画びょうはずし収納ケース（公開実用新案公報昭６２−１４１４８３）
５．押しピン抜き爪で抜いた押しピンが、押しピンの針の部分が磁性鉄板で構成された２本のレールの間に収まり、親指で押しピンを動かすことにより収納と取り出しができる。（公開実用新案公報昭６２−１６５８７６）
【０００５】
６．内側が空洞の本体に溝を設け、くちばしに磁石をつけた画鋲打ち及びはずし用具。（公開実用新案公報平２−６３９８４  ）
７．天井・上方壁面・斜め４５°の３方向に画鋲抜き溝を備えた筒状部と、画鋲収納回収筒と、棒状持ち手からなり画鋲抜き器で抜いた画鋲をそのまま回収筒に収納するとともに伸縮自在の持ち手により高所の画鋲も抜き取ることのできる高所画鋲抜き回収具（公開特許公報平９−２８５９７５  ）
等があった。
【０００６】
【発明が解決しようとする課題】
壁面等に密着している画鋲を抜くとき、画鋲の頭と壁面等の間に隙間がないためにくさび状のものを差し込むことが困難な場合があった。しかし、差し込む場所や引っかかりの部分が頭の上側になれば非常に楽に差し込むことできるはずである。  そうした画鋲に使うより抜き易い道具が要望されることになる。
抜くときに壁面が固い場合や壁面に頭がぴったりとくっついている場合に、画鋲を指で抜こうとするとかなりの力を指に加えなければならなかった。画鋲は誰でもが使うため、てこの原理を使うなどで小さな力で確実に抜けるようにする必要性があった。
従来の技術▲４▼は杭等を挟んだ器具に金てこを差し込んで使っている。しかし、杭に金てこ差し込み口が設定してあり、差し込み口が杭等の上に出ている形であればなお便利である。
従来の技術▲５▼、▲６▼、▲７▼等では画鋲は抜き易いのだが画鋲の頭や抜くための器具が大型になってしまっていた。小型の画鋲で頭の上に画鋲を引く手がかりがあり、それを利用できる器具があればもっと便利になるはずである。
また、従来の技術▲２▼、▲６▼、▲７▼のように抜いた画鋲を一つ一つ手で持ち直して箱に入れるのは、画鋲で係止してある物体を支えたり、自分の姿勢も整えたりしなければならないので、画鋲を抜くたびに箱に入れる動作を簡略化し、画鋲をまとめて持ち運びができれば便利であった。
【０００７】
また、頭と壁面の間に楔状のものを差し込んでこじると画鋲が飛び散ることもあつた。この問題に対しては押さえ具を使う・磁石を使う・容器の中に落下させる等の工夫がなされていた。さらに、きちんと整列して収納させる方法として、針が入る溝を収納容器の中に付けるか、または三角柱の容器の中に入れる方法のいずれかが取られていたが、より、容易に飛散防止と整列収納ができれば便利である。
高い場所に使ってある画鋲の頭と壁面との間にくさびを差し込むのは困難な場合が多かった。こんなときも頭の上側に画鋲を引く手がかりが常に露出していれば良かったし、今後そのような画鋲が出てきた場合にその画鋲に使用できる器具が必要になるはずである。
【０００８】
「針を入れる溝を作る。」、「三角柱の容器に入れる。」等の方法で画鋲を整列させて収納する場合容器が大形になりがちであつた。もっと小型の容器に整列した形で収納できれば便利になる。
画鋲は単価が安いので画鋲を抜く装置も安価で構造が簡単である必要があった。また、抜いた画鋲を一つ一つ手で持ち直して箱等の容器に入れるのは、画鋲で係止してある物体を支えたり、自分の姿勢も整えたりしなければならないので、画鋲を抜くたびに箱、または持ち手になっている画鋲の容器に入れる動作を簡略化し、画鋲をまとめて持ち運びができれば便利であった。
画鋲の抜き取り部分が画鋲の収納容器の一部分となっている場合はたいへん便利であるがもっと簡単につないだまま、袋でも箱でも好きな容器に収納できればなお一層便利となる。
【０００９】
本発明は、上記の点について鑑み、画鋲の抜き取り作業とこの抜き取られた画鋲を細くして保持する収集作業を同時に行なうことができる画鋲抜き取り器を提供すことを目的とするものである。
【００１０】
【課題を解決するための手段】
上記課題を達成するために、本発明に係る画鋲抜き取り器は、先端に画鋲脱抜手段の爪状の部分を有する細長い棒状主体部と、該棒状主体部の根元側に連結される不定形な線状体から形成される画鋲保持部とよりなり、前記棒状体は握り部の画鋲脱抜手段側に適宜角度をもって折曲部を形成し、前記画鋲保持部は棒状主体部の根元側に形成された取付部に、その終端側にストッパーを設け、画鋲脱抜手段で捕捉された画鋲を保持する画鋲保持部を着脱可能に連結してなることを特徴とするものである。
【００１１】
【作用】
画鋲に穴が開いており、画鋲の針部等を壁等に刺し紙等を留めたときにその穴が壁面等の上側に出ている場合に、画鋲脱抜き手段の部分の先端部を、その穴に刺し込み、折り曲げ部６、または画鋲脱抜き手段の部分の先端部を支点として握り部５を押すか、または挽くことにより、画鋲を小さな力で抜くことできる。次に抜いた画鋲は画鋲脱抜き手段の部分の折り曲げ部６の握り部側に一時的に保持するか、又は両鋲保持部２に保持する。一時的に保持した場合は後で保持部に移動する。保持部に保持した画鋲は、糸などを棒状主体部からまとまったままはずし容器等に保管できる。また、握り部は自由に伸ばしても、他の棒にくくり付けても抜き取る作業に支障はなく、そのため高い天井や壁面あるいは画鋲の様々な取り付け状況に対応することができる。たとえば握り部を１メートル程に長くすれば、高所の画鋲の抜き取りも容易である。
また、画鋲保持部である糸等の終点であるストッパーの場所は、糸等を短くしても長くしてもほとんど抜き取る作業に影響がないために種種の容器の中などに設定し、容易に抜いた画鋲を容器に収容できる
【００１２】
【発明の実施の形態】
以下、この発明に係る画鋲抜き取り器の実施の形態につき、添付図面に基づいて説明する。図１は、この発明に係る画鋲抜き取り器の略示図である。
【００１３】
この発明に係る画鋲抜き取り器は、図１に示すように、先端に画鋲脱抜手段３の爪状部分４を有する細長い棒状主体部１と、該棒状主体部１の根元側に着脱可能に連結される不定形な線状体から形成される画鋲保持部２とよりなり、前記棒状体１は、握り部５の画鋲脱抜手段３側に適宜角度を有する折曲部６を形成し、前記画鋲保持部２は、棒状主体部１の根元側に形成された取付部７に脱着可能に連結され、その終端側にストッパー８を設け、画鋲脱抜手段３で捕捉された画鋲を保持してなるものである。
【００１４】
前記棒状主体部１は、直径が３ミリメートル程度以下の滑らかな材料から形成され、先端に形成される画鋲脱抜手段３の爪状の部分４から１．５センチ〜３．０センチのところで、約３０度〜９０度の角度で折曲げて折曲部５を形成する。
【００１５】
前記折曲部６の終端からその根元側に向けて、３センチメートルから５０センチメートルに渡って直線状の握り部５が形成され、その根元部には両側を削り厚さを薄くして孔を開けて取付部５が設けられている。
【００１６】
前記画鋲保持部２は、糸、紐あるいは針金等の不定形な材料が用いられ、その一端を棒状主体部１の根元側に形成された取付部７に挿通して、解き易いように結んで取付ける。なお、取付部７を介して形成される結び目は、棒状主体部１よりも細くするものである。
【００１７】
また、画鋲保持部２の終端側は、抜き取った画鋲を通した後、画鋲が落ちない程度のストッパー８を設け、画鋲脱抜手段３で捕捉された画鋲を保持してなるものである。
【００１８】
なお、このストッパー８としては、画鋲よりも大径の円盤を挿通するか、または結び目を作ったものが用いられる。
【００１９】
棒状主体部１は、高所に刺設されている画鋲に対応するように、適宜補助棒を図１４のように着脱可能に連設するものであってもよい。
【００２０】
次ぎに本発明に係る画鋲抜き取り器の操作手順について説明する。
まず、画鋲の頭にある糸等の隙間に棒状主体部１の先端に形成されている画鋲脱抜手段３爪の状の部分４を通し、折曲部６を支点として握り部５を抑えて画鋲を抜き、この握り部５に沿って移動させて、棒状主体部１の根元側に設けられている画鋲保持部２に送り、順次数珠繋ぎに収納してなるものである。
【００２１】
なお、画鋲を抜き取る際、画鋲脱抜手段３の爪状の部分４を支点として、持ち上げたり、また、先端の画鋲脱抜手段３の爪状の部分４から折曲部６間を支点とすることが可能である。また、画鋲が高所に刺設されている場合でも画鋲の頭にある糸等の隙間が画鋲の頭の上側にある場合は棒状主体部１の先端に形成されている画鋲脱抜手段３の爪状の部分をその隙間に挿入することは容易である。  もっと高い天井や壁面の画鋲を抜き取る場合は、図１４のように握り部５の部分を長くしっかりした棒に固定して使うことができる。この場合は、棒は丈夫な棒であればどんな形でも良いが、抜いた画鋲が握り部５の部分に一杯になるまで抜き続けられるが、一杯になったらはずして糸の部分に画鋲を送り込まなけばならない。握り部５の部分が３０センチ空いていれば３０個以上は抜き続けられる。
さらに、画鋲の頭に付設してある穴に画鋲脱抜手段３の部分を挿入して画鋲を抜くため抜いた後も、画鋲は飛び散らない。画鋲の頭に穴が開いている場合はその穴に爪の部分３を差し込んで安定させ、頭を木槌で叩いて差し込むこともできる。また、画鋲脱抜手段３の先端の爪部を画鋲の穴等に通し、持ち手２を回して刺さった画鋲を回転させ緩めることもできる。また、握り部５に画鋲を並べて集めることもできる。
【００２２】
さらに、高所で壁に差し込んである画鋲も画鋲の穴に画鋲脱抜手段３の先端の爪部を差し込み針を中心として回転させるとにより抜き易い角度にして抜くこともできる。
【００２３】
さらに、画鋲脱抜手段３の部分に画鋲の頭から出ている糸等を巻きつけて抜くこともできる。
【００２４】
さらに、画鋲保持部２の一部または全部、あるいは持ち手の一部を容器の中に納めて画鋲を収納すればなお一層安全になる。
図９のように画鋲保持部２の糸等を短くして、画鋲を入れた場合に側壁につかえない程度の細く高い箱または筒の底に画鋲保持部２の端を解き易いように縛って固定し、箱または筒をぶら下げながら、画鋲抜きの作業を行なうここともできる。この場合は、器具全体をその容器１１の中に収納することも容易である。また、図１０のように画鋲保持部２の糸等を長くして床に届くようにし、箱の底に穴をあけてストッパーの下部の糸等を通し箱の外で解けるように結び、画鋲保持部２を通ってきた画鋲が容器１１の中に入るようにすれば安全である。画鋲保持部２の糸等を引くことによって容器も一緒に移動できる。
【００２５】
図１１のように筒の底に取り外し可能に画鋲保持部２のストツパーの下側の部分の糸等を結び、糸等をその内側を通って外側に出し、断面が台形の溝を持つ棒を筒の入り口の中又は外に固定し、握り部５の取り付け部７の近くの断面を台形にし、筒の入り口部に設置した溝よりわずかに細くして、その溝に差し込み、筒を持ち手として画鋲を抜き、一部をそのまま並べておき、幾つかたまったら、握り部５の取り付け部７の近くの断面が台形の部分をはずして、糸を伸ばして筒の中に収納しても良い。この場合容器が持ち手になる。さらに、図１２のように握り部５の部分を２０ｃｍ〜１ｍと、長くして、同様に長い筒の中に握り部４を入れ、その底の部分に取り外しが可能に固定して、長い筒を持ち手として使うことも可能である。
【００２６】
さらに、図１３のように、２組ずつの棒状主体部１、画鋲保持部２、及びストッパー８を準備してそれぞれのストッパー８の下側にあたる部分を箱の底に簡単に解けるように結び、それぞれの棒状主体部１で抜いた画鋲を、２つの画鋲保持部２に分けそれぞれ並べて１つの容器に収納することもできる。この場合は、１つの容器１１を複数の人が同時に使用したとき、抜いた画鋲を１つの容器１１に同時に集められることになる。また、異なる種類の画鋲を種類ごとに収納することもできる。
【００２７】
【発明の効果】
以上説明したように、本発明に係る画鋲抜き取り器によれば、先端に爪を持つ画鋲脱抜手段と握り部を有する細長い棒状主体部と、該棒状主体部の根元側に連結される不定形な線状体から形成される画鋲保持部とよりなることにより、画鋲の抜き取り作業と収集作業を同時進行的に行なうことができる。
【００２８】
さらに、棒状主体部は、先端に設けられた画鋲脱抜手段から適宜角度をもって形成される折曲部を支点として、てこの原理により小さな力で画鋲を抜き取ることができるため力の弱いものでも容易に取り扱うことができる、
【００２９】
さらに、画鋲保持部は棒状主体部の根元側に形成された取り付け部に、その終端側にストッパーを設け、画鋲脱抜手段で捕捉された画鋲を保持する画鋲保持部を着脱可能にして連結してなるもので、取り外した後も画鋲が糸等で連結されているため、取り外された多くの画鋲を簡単にかつ集中的にまとめることができるものである。
【図面の簡単な説明】
【図１】この発明に係る画鋲抜き取り器を示す略示図である。
【図２】糸、紐、または針金と画鋲の頭の間に隙間があるか、または頭の上に穴の開いている画鋲を壁面に刺し込んだ場合の側面図。
【図３】糸、紐、または針金と画鋲の頭の間に隙間があるか、または頭の上に穴の開いている画鋲を壁面に刺し込んだ場合の平面図。
【図４】爪３の部分を画鋲の隙間または穴に刺し込んだときの側面図
【図５】画鋲脱抜手段３の部分を画鋲の隙間または穴に差し込み爪部の近くを支点として持ち手５を持ち上げて画鋲を抜いた状態の側面図。
【図６】折り曲げ点５を支点とし持ち手を壁側に押し画鋲を抜きはじめたときの側面図。
【図７】抜いた画鋲を持ち手５の方に動かしたときの側面図。
【図８】抜いた画鋲を握り部５を持ち取り付け部７の近くまで動かした図。ストッパーの近くにはすでに画鋲が収納されている。
【図９】画鋲保持部２のストッパーの下側の延長部分を持ち歩きが可能な小さな容器の底に取り外し可能に結び付けた場合の側面図。
【図１０】ストッパーの下側の画鋲保持部２の遠地用部分を容器の底に取り外し可能に結び付けた、画鋲保持部２を長くした場合の側面図。
【図１１】長い筒の底に取り外し可能に画鋲保持部２の糸等を結び、握り部５を筒の入り口の外部に取外し可能に固定した場合の側面図。
【図１２】握り部５の部分を２０ｃｍ〜１ｍと、長くして、その筒の中に握り部４を入れ、画鋲保持部２の糸等のストッパーの下側の延長部分を筒の底に取外し可能に固定し、長い筒を持ち手とした場合の側面図。
【図１３】２組の棒状主体部１、画鋲保持部２、及びストッパーを準備してそれぞれのストッパーの下側にあたる部分を箱の底の異なる２つの場所に簡単に解けるように結んだ場合の側面図。
【図１４】握り部を棒に結び付けた場合の側面図
【符号の説明】
１      棒状主体部
２      画鋲保持部
３      画鋲脱抜手段
４      画鋲脱抜手段の爪の部分
５      握り部
６      折曲部
７      取付部
８      ストッパー
９      指
１０    壁等
１１    容器
１２    画鋲
１３    穴
【図１】
0003680275.tif 000002
【図２】
0003680275.tif 000003
【図３】
0003680275.tif 000004
【図４】
0003680275.tif 000005
【図５】
0003680275.tif 000006
【図６】
0003680275.tif 000007
【図７】
0003680275.tif 000008
【図８】
0003680275.tif 000009
【図９】
0003680275.tif 000010
【図１０】
0003680275.tif 000011
【図１１】
0003680275.tif 000012
【図１２】
0003680275.tif 000013
【図１３】
0003680275.tif 000014
【図１４】
0003680275.tif 000015